(57)【要約】【課題】適長な非撚り合せ部分を容易に形成することが可能なツイストペア線、該ツイストペア線を備えるハーネス、及び、前記ツイストペア線の製造方法の提供。【解決手段】ツイストペア線１は、２つの導線１１，１２が撚り合されている２つの撚り合せ部分１３，１４を備え、２つの撚り合せ部分１３，１４間に非撚り合せ部分１５が設けられている。非撚り合せ部分１５を挟んで隣り合う２つの撚り合せ部分１３，１４夫々の撚り合せ方向は互いに異なっている。【選択図】図１
2015088227.tif 000002
【特許請求の範囲】
【請求項１】
２つの導線が撚り合されたツイストペア線において、
前記２つの導線が撚り合されている複数の撚り合せ部分と、
該複数の撚り合せ部分間に設けられている非撚り合せ部分と
を備え、
前記非撚り合せ部分を挟んで隣り合う２つの前記撚り合せ部分夫々の撚り合せ方向は互いに異なっていること
を特徴とするツイストペア線。
【請求項２】
前記非撚り合せ部分の両端部を各別に固定する２つの固定手段を備えること
を特徴とする請求項１に記載のツイストペア線。
【請求項３】
請求項１又は請求項２に記載のツイストペア線と、
該ツイストペア線の非撚り合せ部分に接続されている第２のツイストペア線と
を備えることを特徴とするハーネス。
【請求項４】
２つの導線が撚り合されたツイストペア線の製造方法において、
略平行に配置された前記２つの導線を一又は複数の箇所で固定し、
前記撚り合せ方向が前記一又は複数の箇所夫々で異なるように前記２つの導線を撚り合せ、
前記一又は複数の箇所夫々について、一側にある撚り合せの交差部分と、他側にある撚り合せの交差部分とを２つの固定手段で固定し、
前記一又は複数の箇所夫々における固定を外し、
前記２つの固定手段間の撚り合せを解くこと
を特徴とするツイストペア線の製造方法。
【請求項５】
前記一又は複数の箇所で固定する前記２つの導線の長さ方向の幅は、前記２つの導線を撚り合せる工程で形成される撚り合せの間隔よりも短いこと
を特徴とする請求項４に記載のツイストペア線の製造方法
【請求項６】
２つの導線が撚り合せたツイストペア線の製造方法において、
略平行に配置された前記２つの導線夫々の一端部を固定し、
前記２つの導線の他端を一方向に回転させ、
前記２つの導線を中途で固定し、
該中途で固定された前記２つの導線の前記他端を他方向に回転させ、
前記中途の一側における撚り合せの交差部分と、他側における撚り合せの交差部分とを２つの固定手段で固定し、
前記２つの導線の前記一端部及び中途における固定を外し、
前記２つの固定手段間の撚り合せを解くこと
を特徴とするツイストペア線の製造方法。
【発明の詳細な説明】
【技術分野】
【０００１】
本発明は、通信線として用いられるツイストペア線、該ツイストペア線を備えるハーネス、及び、前記ツイストペア線の製造方法に関する。
【背景技術】
【０００２】
現在、車両に搭載された複数の電子制御装置（ＥＣＵ； Electric Control Unit）が行う通信に用いられるハーネスとして、幹線として機能するツイストペア線の中途に、支線として機能するツイストペア線が接続されたハーネスがある。このハーネスを製造するためには、一のツイストペア線の中途に他のツイストペア線を接続し、一のツイストペア線を分岐させる必要がある。
【０００３】
特許文献１には、低コストで分岐を行うことができるツイストペア線の製造方法が開示されている。特許文献１では、２つの直方体状の治具で略平行に配置された２つの導線の中途を挟んで２つの導線を把持する。このように２つの導線を把持した状態で、２つの治具の一側にある２つの導線を撚り合せ、更に、２つの治具の他側にある２つの導線を撚り合せる。そして、２つの治具を２つの導線から離すことによって、２つの導線が撚り合されている撚り合せ部分と、２つの導線が撚り合されていない非撚り合せ部分とを備えるツイストペア線が製造される。
【０００４】
特許文献１では、製造されたツイストペア線の非撚り合せ部分における２つの導線の被覆を除去し、露出した２つの導線夫々の芯線を、他のツイストペア線が備える２つの導線の端部に露出している芯線に接続することによって分岐を行う。非撚り合せ部分の長さを、被覆作業を行える程度の長さに設定しておくことによって、コネクタを用いることなく、安価に分岐を行うことできる。
【先行技術文献】
【特許文献】
【０００５】
【特許文献１】特開２００２−１００２５０号公報
【発明の概要】
【発明が解決しようとする課題】
【０００６】
しかしながら、分岐は、加締め、半田付け、抵抗溶接及び超音波溶接等によって行われ、これらの分岐方法によって、分岐に必要な被覆の除去部分の長さ、言い換えると、分岐に必要な非撚り合せ部分の長さが異なる。特許文献１の製造方法では、治具を変えない限り、非撚り合せ部分の長さは一定である。このため、分岐を行う方法によっては、非撚り合せ部分の長さが長すぎたり、短すぎたりする虞がある。
【０００７】
特に、非撚り合せ部分の長さが必要以上に長いツイストペア線を分岐することによって製造されたハーネスを介して、複数のＥＣＵが通信を行う通信システムでは、特性インピーダンスの不整合等による通信性能の低下が激しいという問題がある。
【０００８】
本発明は斯かる事情に鑑みてなされたものであり、その目的とするところは、適長な非撚り合せ部分を容易に形成することが可能なツイストペア線、該ツイストペア線を備えるハーネス、及び、前記ツイストペア線の製造方法を提供することにある。
【課題を解決するための手段】
【０００９】
本発明に係るツイストペア線は、２つの導線が撚り合されたツイストペア線において、前記２つの導線が撚り合されている複数の撚り合せ部分と、該複数の撚り合せ部分間に設けられている非撚り合せ部分とを備え、前記非撚り合せ部分を挟んで隣り合う２つの前記撚り合せ部分夫々の撚り合せ方向は互いに異なっていることを特徴とする。
【００１０】
本発明にあっては、２つの導線が撚り合されている複数の撚り合せ部分を備え、複数の撚り合せ部分間に非撚り合せ部分が形成されている。そして、非撚り合せ部分を挟んで隣り合う２つの撚り合せ部分夫々の撚り合せ方向は互いに異なっている。例えば、一の撚り合せ部分では、一方の導線が他方の導線に対して、一方向に向かって時計回りに巻回しており、一の撚り合せ部分に隣り合う他の撚り合せ部分では、一方の導線が他方の導線に対して、同じ一方向に向かって反時計回りに巻回している。
【００１１】
このため、非撚り合せ部分において、２つの導線中の一方の導線を、他方の導線に対して回転させることによって、非撚り合せ部分の両隣にある撚り合せ部分の撚り合せを容易に解くことが可能であり、治具を用いることなく、適長の非撚り合せ部分を容易に形成することが可能である。
【００１２】
本発明に係るツイストペア線は、前記非撚り合せ部分の両端部を各別に固定する２つの固定手段を備えることを特徴とする。
【００１３】
本発明にあっては、非撚り合せ部分の両端部が、テープ、クリップ又は接着剤等の２つの固定手段によって固定されている。このため、一又は複数の非撚り合せ部分を適長な長さに調整した後、２つの固定手段によって非撚り合せ部分の両端部を固定することによって、撚り合わせが意図しないところで解かれることが防止される。
【００１４】
本発明に係るハーネスは、前述のツイストペア線と、該ツイストペア線の非撚り合せ部分に接続されている第２のツイストペア線とを備えることを特徴とする。
【００１５】
本発明にあっては、前述のツイストペア線において、非撚り合せ部分に第２のツイストペア線が接続されている。これにより、ツイストペア線の一端及び他端夫々に２つの通信装置を接続し、ツイストペア線に接続されていない第２のツイストペア線の一端に通信装置を接続することによって、３つの通信装置が互いに通信を行うことが可能となる。
【００１６】
本発明に係るツイストペア線の製造方法は、２つの導線が撚り合されたツイストペア線の製造方法において、略平行に配置された前記２つの導線を一又は複数の箇所で固定し、前記撚り合せ方向が前記一又は複数の箇所夫々で異なるように前記２つの導線を撚り合せ、前記一又は複数の箇所夫々について、一側にある撚り合せの交差部分と、他側にある撚り合せの交差部分とを２つの固定手段で固定し、前記一又は複数の箇所夫々における固定を外し、前記２つの固定手段間の撚り合せを解くことを特徴とする。
【００１７】
本発明にあっては、略平行に配置された２つの導線を一又は複数の箇所で固定し、撚り合せ方向が一又は複数の箇所夫々で異なるように、２つの導線を撚り合せる。
このような製造を行うことにより、一又は複数の箇所夫々における固定を外した場合において、一又は複数の箇所夫々で、一方の導線を他方の導線に対して回転させることで容易に撚り合せを解くことが可能となる。
【００１８】
また、一又は複数の箇所夫々について、一側にある撚り合せの交差部分と、他側にある撚り合せの交差部分とを２つの固定手段で固定した後、一又は複数の箇所夫々における固定を外し、２つの固定手段間の撚り合せを解く。
２つの固定手段の間隔は非撚り合せ部分の長さであり、２つの固定手段を適切な位置に設けることによって、非撚り合せ部分の長さを適長に保つことが可能となる。
【００１９】
本発明に係るツイストペア線の製造方法は、前記一又は複数の箇所で固定する前記２つの導線の長さ方向の幅は、前記２つの導線を撚り合せる工程で形成される撚り合せの間隔よりも短いことを特徴とする。
【００２０】
本発明にあっては、一又は複数の箇所で固定する２つの導線の長さ方向の幅は、２つの導線を撚り合せる工程で形成される撚り合せの間隔よりも短い。
略平行に配置された２つの導線が固定されている部分には、撚り合せが形成されることはない。一又は複数の箇所で固定する２つの導線の幅が、撚り合せの間隔よりも短いので、非撚り合せ部分の長さを、より短い範囲から調整することが可能となる。このため、例えば、分岐を行う必要がない場合、非撚り合せ部分を最も短い長さに設定することによって、特性インピーダンスの不整合等による通信性能の低下を抑えることが可能となる。
【００２１】
本発明に係るツイストペア線の製造方法は、２つの導線が撚り合せたツイストペア線の製造方法において、略平行に配置された前記２つの導線夫々の一端部を固定し、前記２つの導線の他端を一方向に回転させ、前記２つの導線を中途で固定し、該中途で固定された前記２つの導線の前記他端を他方向に回転させ、前記中途の一側における撚り合せの交差部分と、他側における撚り合せの交差部分とを２つの固定手段で固定し、前記２つの導線の前記一端部及び中途における固定を外し、前記２つの固定手段間の撚り合せを解くことを特徴とする。
【００２２】
本発明にあっては、略平行に配置された２つの導線の一端部を固定し、２つの導線の他端を一方向に回転させる。これにより、２つの導線中、一方の導線に対して、他方の導線が一方向に向かって時計回り（又は反時計回り）に巻回している部分が形成される。そして、２つの導線を中途、例えば、巻回している部分の一端部で固定する。中途で固定された２つの導線の他端を他方向に回転させる。これにより、２つの導線中、一方の導線に対して、他方の導線が一方向に向かって反時計回り（又は時計回り）に巻回している部分が形成される。
【００２３】
そして、中途の一側における撚り合せの交差部分と、他側における撚り合せの交差部分とを２つの固定手段で固定した後、２つの導線の一端部及び中途における固定を外し、２つの固定手段間の撚り合せを解く。
２つの固定手段の間隔は非撚り合せ部分の長さであり、２つの固定手段を適切な位置に設けることによって、非撚り合せ部分の長さを適長に保つことが可能となる。
【発明の効果】
【００２４】
本発明によれば、適長な非撚り合せ部分を容易に形成することができる。
【図面の簡単な説明】
【００２５】
【図１】実施の形態１におけるツイストペア線の模式図である。
【図２】ハーネスの模式図である。
【図３】ツイストペア線の製造方法を説明するための説明図である。
【図４】実施の形態２におけるツイストペア線の製造方法を説明するための説明図である。
【図５】実施の形態３におけるツイストペア線の模式図である。
【図６】ハーネスの模式図である。
【図７】ツイストペア線の製造方法を説明するための説明図である。
【発明を実施するための形態】
【００２６】
以下、本発明をその実施の形態を示す図面に基づいて詳述する。
（実施の形態１）
図１は実施の形態１におけるツイストペア線の模式図である。このツイストペア線１では２つの導線１１，１２が撚り合されており、ツイストペア線１は、２つの導線１１，１２が撚り合されている２つの撚り合せ部分１３，１４と、２つの導線１１，１２が撚り合されていない非撚り合せ部分１５とを備える。非撚り合せ部分１５は、２つの撚り合せ部分１３，１４の間に設けられている。ツイストペア線１は、更に、固定手段として機能するテープ又はクリップ等の２つの固定具１６，１７を備え、非撚り合せ部分１５の両端部は２つの固定具１６，１７によって各別に固定されている。
【００２７】
非撚り合せ部分１５を挟んで隣り合う２つの撚り合せ部分１３，１４夫々では、導線１１，１２の撚り合せ方向が互いに異なっている。撚り合せ部分１３では、導線１２に対して、導線１１が一方向（図１においては右方向）に向かって時計回りに巻回しており、撚り合せ部分１４では、導線１２に対して、導線１１が同じ一方向に向かって反時計回りに巻回している。
【００２８】
このため、固定具１６，１７による固定を外した状態で、非撚り合せ部分１５において、導線１２に対して、導線１１を、一方向（図１の右方向）に向かって、反時計回りに回転させることによって、撚り合せ部分１３，１４の撚り合せを容易に解くことができ、非撚り合せ部分１５の長さを調整することができる。長さを調整した後、非撚り合せ部分１５の端部を各別に固定する。これにより、治具を用いることなく、適長の非撚り合せ部分１５を容易に形成することができる。
また、２つの固定具１６，１７によって非撚り合せ部分１５の両端部を固定するので、撚り合せ部分１３，１４夫々の撚り合わせが意図しないところで解かれることを防止することができる。
【００２９】
なお、撚り合せ部分１３において、導線１２に対して、導線１１が一方向に向かって反時計回りに巻回し、撚り合せ部分１４において、導線１２に対して、導線１１が同じ一方向に向かって時計回りに巻回してあってもよい。この場合、固定具１６，１７による固定を外した状態で、非撚り合せ部分１５において、導線１２に対して、導線１１を、一方向に向かって、時計回りに回転させることによって、撚り合せ部分１３，１４の撚りを解くことができる。
【００３０】
図２はハーネス２の模式図である。実施の形態１におけるハーネス２はツイストペア線１と、第２のツイストペア線として機能するツイストペア線３とを備え、ツイストペア線１の非撚り合せ部分１５にツイストペア線３が接続されている。ツイストペア線１が備える導線１１は、電気が伝導する芯線１１ａを絶縁性の被覆部材で覆うことによって形成されている。導線１２も、導線１１と同様に、電気が伝導する芯線１２ａを絶縁性の被覆部材で覆うことによって形成されている。
【００３１】
ツイストペア線３は導線３１，３２を備え、導線３１，３２は撚り合さっている。導線３１，３２夫々も導線１１と同様に形成されており、導線３１では、芯線１１ａに対応する芯線３１ａが絶縁性の被覆部材で覆われており、導線３２では、芯線１１ａに対応する芯線３２ａが同様の被覆部材で覆われている。
【００３２】
ツイストペア線１の非撚り合せ部分１５では、導線１１，１２夫々の被覆部材が除去されて芯線１１ａ，１２ａが露出しており、ツイストペア線３の一端部では、導線３１，３２夫々の被膜部材が除去されて芯線３１ａ，３２ａが露出している。ツイストペア線１の非撚り合せ部分１５において、露出している芯線１１ａ，１２ａ夫々を、ツイストペア線３の芯線３１ａ，３２ａに接続して、ツイストペア線１を分岐させることによってハーネス２が形成される。
【００３３】
ツイストペア線１の一端及び他端夫々と、ツイストペア線３の他端とに３つの図示しない通信装置、例えばＥＣＵを接続した場合、３つの通信装置夫々は、ハーネス２を介して互いに通信することができる。
【００３４】
また、ツイストペア線１に分岐を設ける方法として、加締め、半田付け、抵抗溶接及び超音波溶接等があり、これらの分岐方法に応じて、芯線１１ａ，１２ａ夫々を露出させる必要な長さは異なる。ツイストペア線１では、前述したように、適長な非撚り合せ部分を形成することができる。このため、非撚り合せ部分１５が必要以上に長いことを理由として、３つの通信装置とハーネス２とを備える通信システムにおいて、通信性能が特性インピーダンスの不整合等によって大きく低下することを防ぐことができる。
【００３５】
図３はツイストペア線１の製造方法を説明するための説明図である。まず、図３Ａに示すように２つの導線１１，１２を略平行又は平行に配置し、略平行又は平行に配置された２つの導線１１，１２の１箇所を、テープ又はクリップ等の固定具１８で固定する。次に、２つの導線１１，１２夫々の一側（図３Ａの左側）にある一端を、一側から見て、反時計回りに回転させ、２つの導線１１，１２夫々の他側（図３Ａの右側）にある他端を、同じ一側から見て反時計回りに回転させる。
【００３６】
このようにして、固定具１８が固定している箇所で撚り合わせ方向が異なるように、２つの導線１１，１２を撚り合せる。これにより、２つの導線１１，１２は図３Ｂに示すような状態となる。２つの導線１１，１２の一端と固定具１８との間では、導線１２に対して、導線１１が他側に向かって時計回りに巻回しており、固定具１８と導線１１，１２の他端との間では、導線１２に対して、導線１１が他側に向かって反時計回りに巻回している。
【００３７】
次に、図３Ｃに示すように、固定具１８に対して一側にある撚り合せの交差部分を固定具１６で固定し、他側にある撚り合せの交差部分を固定具１７で固定する。固定具１６，１７夫々は、固定具１８から略同じ又は同じ距離だけ離れた位置に配置される。後述するように、固定具１６，１７間の撚り合いは解かれ、固定具１６，１７間には非撚り合せ部分１５が形成される。従って、非撚り合せ部分１５の長さが、ツイストペア線１を分岐させる場合に採用する分岐方法に適した長さになる位置に固定具１６，１７を設ける。非撚り合せ部分１５の長さは固定具１６，１７によって適長に保たれる。
【００３８】
また、以上の工程において、略平行又は平行に配置された２つの導線１１，１２を固定具１８で固定する２つの導線１１，１２の長さ方向（図３Ａでは左右方向）の幅は、２つの導線１１，１２を撚り合せる工程で形成される撚り合せの間隔よりも短い。固定具１８で固定している部分には、撚り合せが形成されることはない。このため、固定具１８で固定している導線１１，１２の長さ方向の幅は、非撚り合せ部分の最小の長さとなる。従って、固定具１８で固定する導線１１，１２の長さ方向の幅を撚り合せの間隔よりも短くすることによって、より短い範囲から非撚り合せ部分１５の長さを、採用する分岐方法に応じた適切な長さに調整することができる。
【００３９】
また、分岐を行わない場合、固定具１８に最も近い交差部分を固定具１６，１７に固定させることによって、ツイストペア線１において、特性インピーダンスの不整合等によって生じる通信性能の低下を抑えることができる。
なお、固定具１６，１７夫々に、固定具１８から一側及び他側に向かって、２つ目の導線１１，１２の交差部分を固定させなくてもよく、１つ目、又は３つ目以降の交差部分を固定させてもよい。
【００４０】
固定具１６，１７で２つの導線１１，１２を固定した後、２つの導線１１，１２の１箇所で行われていた固定具１８の固定を外し、２つの固定具１６，１７間の撚り合せを解く。これにより、２つの導線１１，１２が撚り合されたツイストペア線１が製造される。
【００４１】
以上に述べたツイストペア線１の製造方法では、固定具１８が固定している箇所で撚り合せ方向が異なるように２つの導線１１，１２を撚り合せている。このため、固定具１８によって固定してあった箇所で、導線１１を導線１２に対して回転させることで容易に撚り合いを解くことができる。
更に、前述したように、２つの固定具１６，１７夫々は、固定具１８から略同じ又は同じ距離に位置してあるので、固定具１６，１７間の撚り合せをより容易に解くことができる。
【００４２】
なお、ツイストペア線１の製造方法では、導線１１，１２夫々の一側にある一端を、一側から見て、反時計回りに回転させ、導線１１，１２夫々の他側にある他端を、同じ一側から見て、反時計回りに回転させているが、導線１１，１２の一端及び他端を反時計回りに回転させなくてもよい。導線１１，１２の一端及び他端夫々を一側から見て時計回りに回転させてもよい。
【００４３】
（実施の形態２）
図４は、実施の形態２におけるツイストペア線１の製造方法を説明するための説明図である。ツイストペア線１の製造方法は、実施の形態１に示した製造方法に限定されない。実施の形態２では、もう１つのツイストペア線１の製造方法について説明する。
実施の形態２におけるツイストペア線１の製造方法において、実施の形態１と共通する構成については、同様の符号を付してその説明を省略する。
【００４４】
まず、図４Ａに示すように導線１１，１２を略平行又は平行に配置し、略平行又は平行に配置された導線１１，１２の一端部を、テープ又はクリップ等の固定具１９で固定する。次に、２つの導線１１，１２の他端を、一側（図４Ａの左側）に向かって、反時計回りに回転させる。これにより、図４Ｂに示すように、導線１１が、導線１２に対して、他側（図４Ｂの右側）に向かって時計回りに巻回している部分が形成される。
【００４５】
次に、固定具１８を用いて、２つの導線１１，１２を、中途、例えば、撚り合された部分の一端部で固定する。そして、中途で固定された２つの導線１１，１２の他端を、一側（図４Ｂの左側）に向かって時計回りに回転させる。これにより、図４Ｃに示すように、導線１１が、導線１２に対して他側（図４Ｃの右側）に向かって反時計回りに巻回している部分が形成させる。
【００４６】
以上に述べた製造工程を実施することによって、２つの導線１１，１２は図４Ｃに示す状態となり、この状態は、２つの導線１１，１２が固定具１９で固定されている以外については、実施の形態１で説明した図３Ｂの状態と同じである。これ以降の製造工程は、実施の形態１と略同様である。
【００４７】
実施の形態１と同様に、中途で２つの導線１１，１２を固定している固定具１８において、図４Ｄに示すように、一側にある撚り合せの交差部分を固定具１６で固定し、他側にある撚り合せの交差部分を固定具１７で固定する。次に、２つの導線１１，１２の中途及び一端部で行われていた固定具１８，１９の固定を外し、２つの固定具１６，１７間の撚り合せを解く。これにより、２つの導線１１，１２が撚り合されたツイストペア線１が製造される。
【００４８】
実施の形態２におけるツイストペア線１の製造方法では、実施の形態１と同様に、固定具１８で固定する２つの導線１１，１２の長さ方向の幅は、２つの導線１１，１２を撚り合せる工程で形成される間隔よりも短い。このため、より短い範囲から非撚り合せ部分の長さを、分岐方法に応じた適切な長さに調整することができる。また、固定具１６，１７を、非撚り合せ部分１５の長さが、ツイストペア線１を分岐させる場合に採用する分岐方法に適した長さになる位置に設けることによって、非撚り合せ部分１５の長さを適長に保つことができる。
【００４９】
また、２つの導線１１，１２の撚り合せ方向が固定具１８を境にして異なるので、固定具１８で固定してあった箇所で、導線１１を導線１２に対して回転させることで容易に撚り合いを解くことができる。また、固定具１６，１７は、実施の形態１と同様に、固定具１８から略同じ又は同じ距離に位置してあるので、固定具１６，１７間の撚り合せをより容易に解くことができる。
【００５０】
実施の形態２における製造方法において、固定具１８で２つの導線１１，１２を中途で固定して導線１１，１２の他端を時計回りに回転させた後、再び、もう１つの固定具１８で２つの導線１１，１２を中途で固定し、導線１１，１２の他端を一側に向かって反時計回りに回転させる。以上の製造工程を繰り返すことによって、２つの導線１１，１２は、複数の固定具１８によって複数の箇所が固定された状態となる。
【００５１】
各固定具１８夫々について、固定具１６，１７を配置し、複数の固定具１８夫々の固定を外して固定具１６，１７間を解くことによって、撚り合せ部分が３以上形成されて、非撚り合せ部分が２以上形成されたツイストペア線を形成することができる。このツイストペア線は、ツイストペア線１と同様の特徴、例えば、非撚り合せ部分を挟んで隣り合う２つの撚り合せ部分夫々の撚り合せ方向が互いに異なる特徴を有するため、ツイストペア線１と同様の効果を奏する。
【００５２】
なお、実施の形態２におけるツイストペア線１の製造方法では、導線１１，１２の他端を一側に向かって反時計回りに回転させた後に、時計回りに回転させているが、導線１１，１２の他端を時計回りに回転させた後に反時計回りに回転させてもよい。導線１１，１２の他端を回転させる方向が交互に変更されていればよい。
【００５３】
（実施の形態３）
図５は、実施の形態３におけるツイストペア線の模式図である。実施の形態１では、２つの撚り合せ部分１３，１４及び非撚り合せ部分１５を備えるツイストペア線１、ハーネス２及びツイストペア線１の製造方法を説明した。実施の形態３では、２つの撚り合せ部分４３、１つの撚り合せ部分４４及び２つの非撚り合せ部分４５を備えるツイストペア線４、ツイストペア線４を備えるハーネス５（図６参照）、及び、ツイストペア線４の製造方法を説明する。
【００５４】
ツイストペア線４は導線４１，４２を備え、導線４１，４２は撚り合されている。２つの撚り合せ部分４３及び１つの撚り合せ部分４４夫々では、２つの導線４１，４２が撚り合されており、２つの非撚り合せ部分４５では、２つの導線４１、４２が撚り合されていない。ツイストペア線４では、一方向（図５の右側）に向かって、撚り合せ部分４３、非撚り合せ部分４５、撚り合せ部分４４、非撚り合せ部分４５及び撚り合せ部分４３が、この順に配置されており、２つの非撚り合せ部分４５夫々は、２つの撚り合せ部分４３，４４の間に設けられている。ツイストペア線４は、実施の形態３における固定手段として機能するテープ又はクリップ等の２つの固定具４６，４７を備え、非撚り合せ部分４５の両端部は２つの固定具４６，４７によって各別に固定されている。
【００５５】
非撚り合せ部分４５を挟んで隣り合う２つの撚り合せ部分４３，４４夫々では、導線４１，４２の撚り合せ方向が互いに異なっている。撚り合せ部分４３では、導線４１が導線４２に対して一方向に向かって時計回りに巻回しており、撚り合せ部分４４では、導線４１が導線４２に対して一方向に向かって反時計回りに巻回している。
【００５６】
このため、固定具４６，４７による固定を外した状態で、非撚り合せ部分４５において、導線４２に対して、導線４１を、一方向に向かって時計回り又は反時計回りに回転させることによって、非撚り合せ部分４５に隣接する撚り合せ部分４３，４４の撚り合せを容易に解くことができ、非撚り合せ部分４５の長さを調整することができる。これにより、治具を用いることなく、適長の非撚り合せ部分４５を容易に形成することができる。
また、２つの固定具４６，４７によって非撚り合せ部分４５の両端部を固定するので、撚り合せ部分４３，４４夫々の撚り合せが意図しないところで解かれることを防止することができる。
【００５７】
なお、撚り合せ部分４３において、導線４２に対して、導線４１が一方向に向かって反時計回りに巻回し、撚り合せ部分４４において、導線４２に対して、導線４１が同じ一方向に向かって時計回りに巻回してあってもよい。この場合であっても、固定具４６，４７による固定を外した状態で、非撚り合せ部分４５において、導線４２に対して、導線４１を回転させることによって、撚り合せ部分４３，４４の撚りを解くことができる。
【００５８】
図６はハーネス５の模式図である。実施の形態３におけるハーネス５は、ツイストペア線４と、実施の形態３における第２のツイストペア線として機能するツイストペア線６，７とを備え、ツイストペア線４の２つの非撚り合せ部分４５夫々にツイストペア線６，７が接続されている。ツイストペア線４が備える導線４１，４２、ツイストペア線６が備える導線６１，６２及びツイストペア線７が備える導線７１，７２夫々は、実施の形態１におけるツイストペア線１の導線１１と同様に構成されている。導線４１，４２，６１，６２，７１，７２夫々は、芯線４１ａ，４２ａ，６１ａ，６２ａ，７１ａ，７２ａを有し、芯線４１ａ，４２ａ，６１ａ，６２ａ，７１ａ，７２ａ夫々は導線１１の芯線１１ａに対応している。
【００５９】
ツイストペア線４の２つの非撚り合せ部分４５夫々では、導線４１，４２夫々の被覆部材が除去されて芯線４１ａ，４２ａが露出している。ツイストペア線６の一端部では、導線６１，６２夫々の被覆部材が除去されて芯線６１ａ，６２ａが露出し、ツイストペア線７の一端部では、導線７１，７２夫々の被覆部材が除去されて芯線７１ａ，７２ａが露出している。ツイストペア線４における一方の非撚り合せ部分４５において、露出している芯線４１ａ，４２ａ夫々をツイストペア線６の芯線６１ａ，６２ａに接続し、他方の非撚り合せ部分４５において、露出している芯線４１ａ，４２ａ夫々をツイストペア線７の芯線７１ａ，７２ａに接続する。これにより、ツイストペア線４は２つの非撚り合せ部分４５夫々で分岐され、ハーネス５が形成される。
【００６０】
ツイストペア線４の一端及び他端夫々と、ツイストペア線６，７夫々の他端とに４つの図示しない通信装置、例えばＥＣＵを接続した場合、４つの通信装置夫々は、ハーネス５を介して互いに通信することができる。また、前述したように、２つの非撚り合せ部分４５夫々の長さを分岐方法に応じた適切な長さに調整することができるので、実施の形態１と同様に、非撚り合せ部分４５が必要以上に長いことを理由として、４つの通信装置とハーネス５とを備える通信システムにおいて、通信性能が特性インピーダンスの不整合等によって大きく低下することを防ぐことができる。
【００６１】
図７はツイストペア線４の製造方法を説明するための説明図である。まず、図７Ａに示すように２つの導線４１，４２を略平行又は平行に配置し、略平行又は平行に配置された２つの導線４１，４２の２箇所夫々を、テープ又はクリップ等の２つの固定具８０で固定する。次に、２つの導線４１，４２夫々の一側（図７Ａの左側）にある一端を、一側から見て、反時計回りに回転させ、２つの固定具８０間にある２つの導線４１，４２を、一側から見て、反時計回りに回転させる。これにより、２つの導線４１，４２は図７Ｂに示すような状態となる。更に、２つの導線４１，４２夫々の他側（図７Ｂの右側）にある他端を、同じ一側から見て時計回りに回転させる。
【００６２】
このようにして、撚り合せ方向が、２つの固定具８０が固定している２箇所夫々で異なるように、２つの導線４１，４２を撚り合せる。これにより、２つの導線４１，４２は図７Ｃに示すような状態となる。２つの導線４１，４２の一端と、一側の固定具８０との間では、導線４２に対して導線４１が他側に向かって時計回りに巻回しており、２つの固定具８０間では、導線４２に対して、導線４１が同じ他側に向かって反時計回りに巻回している。更に、他側の固定具８０と２つの導線４１，４２の他端との間では、導線４２に対して導線４１が同じ他側に向かって時計回りに巻回している。
【００６３】
次に、図７Ｄに示すように、２つの固定具８０夫々に対して一側にある撚り合せの交差部分を固定具４６で固定し、他側にある撚り合せ部分の交差部分を固定具４７で固定する。固定具４６，４７夫々は、対象となる固定具８０から略同じ又は同じ距離だけ離れた位置に配置される。
なお、２組の固定具４６，４７夫々について、一方の固定具４６，４７間の距離は、他方の固定具４６，４７間の距離と同じでなくてもよい。
【００６４】
実施の形態３におけるツイストペア線４の製造方法においても、実施の形態１におけるツイストペア線１の製造方法と同様に、固定具４６，４７間の撚り合いは解かれ、固定具４６，４７間には非撚り合せ部分４５が形成される。従って、２組の固定具４６，４７を配置する工程では、非撚り合せ部分４５の長さが、ツイストペア線４を分岐させる場合に採用する分岐方法に適した長さになる位置に、２組の固定具４６，４７を設ける。非撚り合せ部分４５の長さは固定具４６，４７によって適長に保たれる。
【００６５】
また、以上の工程において、略平行又は平行に配置された２つの導線４１，４２を２つの固定具８０で固定する２つの導線４１，４２の長さ方向（図７Ａでは左右方向）の幅は、２つの導線４１，４２を撚り合せる工程で形成される撚り合せの間隔よりも短い。従って、実施の形態１と同様に、より短い範囲から非撚り合せ部分４５の長さを、採用する分岐方法に応じた適切な長さに調整することができる。実施の形態１における導線１１，１２及び固定具１８は、実施の形態３における導線４１，４２及び固定具８０に対応する。
【００６６】
なお、固定具４６，４７夫々に、固定具８０から一側及び他側に向かって、２つ目の導線４１，４２の交差部分を固定させなくてもよく、１つ目、又は３つ目以降の交差部分を固定させてもよい。
【００６７】
次に、固定具４６，４７で２つの導線４１，４２を固定した後、２つの導線４１，４２の２箇所で行われていた２つの固定具８０の固定を外し、２組の固定具４６，４７間の撚り合せを解く。これにより、２つ導線４１，４２が撚り合されたツイストペア線４が製造される。
【００６８】
以上に述べたツイストペア線４の製造方法では、２つの固定具８０が固定している２箇所夫々で撚り合せ方向が異なるように２つの導線４１，４２を撚り合せている。このため、２つの固定具８０によって固定してあった２箇所夫々で、導線４１を導線４２に対して回転させることで容易に撚り合いを解くことができる。
更に、前述したように、固定具４６，４７夫々は、固定具８０から略同じ又は同じ距離に位置してあるので、固定具４６，４７間の撚り合せをより容易に解くことができる。
【００６９】
なお、ツイストペア線４の製造方法においては、導線４１，４２夫々の一端と一側の固定具８０との間では、一側から見て、導線４１，４２を反時計回りに回転させ、２つの固定具８０間では、導線４１，４２を反時計回りに回転させ、他側の固定具８０と導線４１，４２夫々の他端との間では、導線４１，４２を時計回りに回転させている。しかし、導線４１，４２夫々の一端と一側の固定具８０との間では、一側から見て、導線４１，４２を時計回りに回転させ、２つの固定具８０間では、導線４１，４２を時計回りに回転させ、他側の固定具８０と導線４１，４２夫々の他端との間では、導線４１，４２を反時計回りに回転させてもよい。２つの導線４１，４２の撚り合せ方向が２つの固定具８０が固定している２箇所夫々を境にして異なっていればよい。
【００７０】
実施の形態３における製造方法において、３つ以上の固定具８０で２つの導線４１，４２の３箇所以上を固定し、３つ以上の固定具８０で固定した固定箇所を境にして撚り合せ方向が異なるように、２つの導線４１，４２を撚り合せる。そして、各固定具８０夫々について、固定具４６，４７を配置し、３つ以上の固定具８０夫々の固定を外して固定具４６，４７間を解くことによって、撚り合せ部分が４以上形成されて、非撚り合せ部分が３以上形成されたツイストペア線を形成することができる。このツイストペア線は、ツイストペア線４と同様の特徴、例えば、非撚り合せ部分を挟んで隣り合う２つの撚り合せ部分夫々の撚り合せ方向が互いに異なる特徴を有するため、ツイストペア線４と同様の効果を奏する。
【００７１】
なお、実施の形態１から３において、導線１１，１２，４１，４２として、外力によって変形した場合に変形した状態を保持する性質、所謂可塑性を有する導線を用いてもよい。
また、テープ又はクリップ等の固定具１６（又は固定具８０）の代わりに、接着剤を用いて非撚り合せ部分１５（又は非撚り合せ部分４５）の両端部を各別に固定してもよい。また、最初に固定具１６（又は固定具８０）で２つの導線１１，１２（又は導線４１，４２）を固定しておき、非撚り合せ部分１５（又は非撚り合せ部分４５）の長さを適長に調整した後に接着剤で２つの導線１１，１２（又は導線４１，４２）を固定してもよい。
【００７２】
また、実施の形態１又は２におけるツイストペア線１は、非撚り合せ部分１５の両端部を各別に固定する固定具１６，１７を備えていなくてもよく、実施の形態３におけるツイストペア線４は、非撚り合せ部分４５の両端部を各別に固定する固定具４６，４７を備えていなくてもよい。例えば、導線１１，１２（又は導線４１，４２）が可塑性を有する場合には、非撚り合せ部分１５（又は非撚り合せ部分４５）の撚り合せが意図しないところで解かれる確率は低いため、固定具１６，１７（又は固定具４６，４７）を配置しなくてもよい。
【００７３】
また、実施の形態１，２において、固定具１８が固定する２つの導線１１，１２の長さ方向の幅は、２つの導線１１，１２を撚り合せる工程で形成される撚り合せの間隔よりも短くなくてもよい。同様に、実施の形態３において、固定具８０が固定する２つの導線４１，４２の長さ方向の幅は、２つの導線４１，４２を撚り合せる工程で形成される撚り合せの間隔よりも短くなくてもよい。固定具１８（又は固定具８０）は、２つの導線１１，１２（又は２つの導線４１，４２）を固定することが可能であればよい。
【００７４】
開示された実施の形態１から３は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００７５】
１，４  ツイストペア線
１１，１２，４１，４２  導線
１３，１４，４３，４４  撚り合せ部分
１５，４５  非撚り合せ部分
１６，１７，４６，４７  固定具（固定手段）
３，６，７  ツイストペア線（第２のツイストペア線）
【図１】
2015088227.tif 000003
【図２】
2015088227.tif 000004
【図３】
2015088227.tif 000005
【図４】
2015088227.tif 000006
【図５】
2015088227.tif 000007
【図６】
2015088227.tif 000008
【図７】
2015088227.tif 000009